(57)【要約】【課題】容器を偏平二つ折り状態に折畳んで運搬、保管ができ、被収納物の包装時には容器を立体化するだけで被収納物を安定的に収納することができるプラスチックシート組立容器を提供する。【解決手段】四側面板部１〜４と糊代片９を罫線５、５ｃを介して連設し、側面板部４の開放側縁に罫線５ｄを介して保持板部１０を延設し、保持板部は容器二つ折り状態の幅よりも短幅で、中央罫線５ｅを介して左右保持板部１０ａ、１０ｂとし、該中央部にコの字状切込み１１により支持片１２、１２を左右対称的に形成し、保持板部を容器内に折込んで偏平二つ折り可能な組立容器を形成し、立体化とともに保持板部をＶ字状にして収納空間を形成し、支持片を突起させて保持板部を安定配置できるようにし、さらに保持板部の下方に調整板部１０ｃを、正面板部内に凹凸部１６を形成できるようにした。【選択図】      図１
2004244094.tif 000002
【特許請求の範囲】
【請求項１】
罫線を設けたプラスチックシートを折曲する組立容器であって、容器側面板部の側端部から罫線を介して容器内に折込み可能な被収納物用保持板部を、収納空間を形成可能な長さを有して延設し、該保持板部の中間部に、容器側面板部内面に当接可能な支持片を形成してなる構成を有するプラスチックシート組立容器。
【請求項２】
保持板部は、中間部を折曲乃至湾曲して収納空間を形成した状態において、保持板部を連設した容器側面板部とこれに対面する側面板部の両側面板部間にほぼ渡る長さを有し、かつ、平板状に伸ばした状態において、偏平に折畳んだ組立容器側面板部の両外側折曲部間の長さよりは短い長さを有して形成した構成を有するものである請求項１に記載のプラスチックシート組立容器。
【請求項３】
保持板部の少なくとも上下いずれかに収納空間内に折曲張出し可能な調整板部を形成してなる構成を有する請求項１又は２に記載のプラスチックシート組立容器。
【請求項４】
保持板部とともに収納空間を形成する正面板部に被収納物に当接可能な凹凸部を形成してなる構成を有する請求項１〜３のいずれかに記載のプラスチックシート組立容器。
【請求項５】
保持板部に箔押しその他の印刷模様を形成してなる構成を有する請求項１〜４のいずれかに記載のプラスチックシート組立容器。
【発明の詳細な説明】
【０００１】
【発明の属する技術分野】
本発明は、容器内に収納空間を形成可能な保持板部を形成したプラスチックシート製の組立容器に関する。
【０００２】
【従来の技術】
透明性が良好で剛性もあるアモルファスポリエチレンテレフタレート（Ａ―ＰＥＴ）などのプラスチックシートに折り曲げ罫線を設けてなる組立容器が造られている。従来のこの種の容器は、例えば特許文献１の如く、折り曲げ罫線を介して正背面板部，左右側面板部を連設し、正面乃至背面板部から上下に折り曲げ罫線を介して蓋片を連設し、いずれかの板部乃至片の端から罫線を介して容器内に配置することになるフラップを延設し、このフラップは容器を組立て立体化した後に、容器内周面すなわち四側面板部の各内面に密接するように容器内に圧入させて被収納物を保持するようにした構成のものであった。
【０００３】
【特許文献１】
特開２００１−１３９０１９号公報
【０００４】
【発明が解決しようとする課題】
上記のような構成であると、容器を組立て立体化させた後、フラップを折曲げる作業、折曲げたものに被収納物を保持させながらこれを容器内に圧入して固定する作業などが必要であり、容器の製造、組立工程と、被収納物を収納する包装化工程とを分離し難く、容器製造乃至流通工程を十分に合理化し難い問題があった。
【０００５】
上記の改善として、糊代片を接着して容器を組立てる工程において、フラップを容器内に折込んで内装させて、組立容器を偏平二つ折り状態に折畳んで運搬、保管できるようにし、被収納物包装時に容器を立体化させることが可能な容器構成とすることができれば好ましい。この場合、内装したフラップは立体化作業に支障を与えないように構成されなければならず、特に、容器内に収納空間を形成させるフラップが容器の折畳み乃至立体化に円滑に連動し得ることが望まれる。
このようなものとして、図１２、１３に示す如き構成を考えることができる。これは、折曲して容器を組立て可能な側面板部２１の一側縁にフラップ２２を折曲げ罫線２３を介して連設し、フラップ２２を容器内に折込んだ上で糊代片２４を接着して組立容器を形成するもので、この容器を立体化するときに容器内においてフラップ２２がＶ字形となり、Ｖ字凹部に被収納物２５の収納空間が形成されるようにするものである。
【０００６】
しかしながら、この構成の場合、組立容器を罫線２３と対角端の罫線の２箇所を折畳んだ形で偏平二つ折り状に折畳んだときに、フラップ２２がサンドイッチ状態で二つ折れ容器内に挟まるが、フラップが二つ折れ幅よりも長いとフラップが平坦に延びないために容器の偏平な折畳みができず、運搬、保管に支障を来たし、短いと、図７の如く立体化した容器内でＶ字フラップががたつくか、被収納物ががたついてしまい、商品価値を下げてしまう問題が起こり、長さが一致するとフラップ端縁が二つ折り部分の内側に食い込んでしまう結果、フラップがＶ字に形成され難いなどの問題が起こるおそれがあり、寸法制約が強すぎる問題がある。
本発明は、上記問題点を解決し、フラップすなわち被収納物用保持板部を内装させた状態で、容器を偏平二つ折り状態に折畳んで運搬、保管を便利にでき、被収納物の包装時には容器を立体化するだけで被収納物を安定的に収納することができるプラスチックシート組立容器を提供せんとするものである。
【０００７】
【課題を解決するための手段】
上記課題を解決するために、本発明は、罫線を設けたプラスチックシートを折曲する組立容器であって、容器側面板部の側端部から罫線を介して容器内に折込み可能な被収納物用保持板部を、収納空間を形成可能な長さを有して延設し、該保持板部の中間部に、容器側面板部内面に当接可能な支持片を形成してプラスチックシート組立容器を構成したことを特徴とする。
上記保持板部は、中間部を折曲乃至湾曲して収納空間を形成した状態において、保持板部を連設した容器側面板部とこれに対面する側面板部の両側面板部間にほぼ渡る長さを有し、かつ、平板状に伸ばした状態において、偏平に折畳んだ組立容器側面板部の両外側折曲部間の長さよりは短い長さを有して形成するのが好ましい。
【０００８】
本発明は、上記保持板部の少なくとも上下いずれかに収納空間内に折曲張出し可能な調整板部を形成してプラスチックシート組立容器を構成したことも特徴とする。
また、上記保持板部とともに収納空間を形成する正面板部に被収納物に当接可能な凹凸部を形成することができる。さらに、少なくとも保持板部には箔押しその他の印刷模様を形成し、装飾効果を高めることができる。
【０００９】
【発明の実施の形態】
以下、本発明の一例としての実施の形態を図面によって説明する。
図１〜３は本発明に係るプラスチックシートの一実施形態図、図４、５は支持片、保持板部の変形例図、図６〜１０は本発明のさらに異なる三例の実施形態図、図１１、１２は本発明の対比図である。
【００１０】
図１は、直方体箱状の組立容器を形成するためのプラスチックシートであり、Ａ−ＰＥＴ、ポリプロピレン、ポリエチレン、ポリカーボネート、生分解性樹脂例えばポリ乳酸、その他の単体又は複合体としてなるプラスチックシート材を加圧加工し、輪郭を打ち抜き加工して形成してある。他の図に示した実施例も同様である。
【００１１】
このシートは、直方体箱状の四側面を構成する正面板部１、右側面板部２，背面板部３、左側面板部４を順次折曲げ罫線５を介して連設し、正面板部１の上下に折曲げ罫線５ａ，５ａを介して蓋片６，７を、蓋片の各先端に折曲げ罫線６ｂ，７ｂを介して差込み片６ａ，７ａを連設し、左右側面板部２，４の上下にそれぞれ折曲げ罫線５ｂを介して折込み片８を連設し、正面板部１の開放側縁に折曲げ罫線５ｃを介して糊代片９を連設し、
さらに、左側面板部４の開放側縁に折曲げ罫線５ｄを介して所定長さの被収納物用保持板部１０を延設し、この保持板部１０は、延設方向中央に支持片１１部分を除いて折曲げ罫線５ｅを形成して、左右保持板部１０ａ、１０ｂとし、該罫線５ｅ上の離隔位置において、一方は左保持板部１０ａ側に、他方は右保持板部１０ｂ側にそれぞれコの字状その他任意形状の切込み１１を設けて、適宜長さの支持片１２、１２を左右対称的に区画形成して構成してある。
【００１２】
保持板部１０は、延設方向幅を正面板部１と右側面板部２の合計幅（背面板部３と左側面板部４の合計幅）分の長さよりも若干短い長さに設定し、すなわち、図２、３に示すように、四側面１，２，３，４を立体形成した箱体を二つ折り状に扁平に折畳んだ折畳み容器側面板部の両外側折曲部間の長さより短い長さＳのものとなるように設定し、支持片１２の切込み方向幅を該短い長さＳ分よりも長く設定し、
左右保持板部１０ａ、１０ｂを形成する罫線５ｅは、両保持板部１０ａ、１０ｂの折曲によって形成される凹部が被収納物１４の収納空間１３として正面板部１側に形成されるように、折曲癖を持たせて形成してある。上記被収納物は、マスカラなどの化粧用具、筆記具などの文房具、その他の任意のものとすることができ、その形状は、円筒状、各筒状、その他の任意形状とすることができる。
【００１３】
上記シートは、図２に示すように、罫線５ｄ介して保持板部１０を内折れさせ、これを挟み込むようにして四側面板部１、２、及び３、４をその間の罫線５を介して二つ折りさせ、罫線５ｃを介して糊代片９を内折れさせて左側面板部４の外側縁に合わせ、ホットメルト接着剤その他の接着剤により固着させて、偏平二つ折り状態の組立容器とすることができる。なお、この加工工程は限定するものではなく他の方法を含めて任意である。
上記二つ折り状の組立容器は、保持板部１０が容器二つ折り幅よりもＳ分だけ短いので、膨らみの出ない偏平折畳み形状として形成することができ、運搬、保管性がよく、取り扱いに優れている。
【００１４】
上記二つ折り状の組立容器は、図３に示すように、四側面中の残りの罫線５、５を内折れさせつつ、直方体状に立体化すれば、罫線５ｅを介して内部の保持板部１０は箱形に沿って断面Ｖ字状に折曲して直方体内に納まり、Ｖ字が開放部を正面板部１に向けて正対し、正面側に被収納物１４の収納空間１３を形成する。この際、容器を立体化する工程中に、蓋面方向の開口部から容器内に操作ピンを差し込むなどして、保持板部１０をＶ字状に折曲するための補助操作を加えるようにしてもよく、任意である。
保持板部１０は、二つ折り状の組立容器の幅よりも短いことにより、保持板部の開放端縁が二つ折り部（右側面板部２と背面板部３間の内折れさせた罫線５部分）に食い込むような状態で二つ折りされることがなく、容器の立体過程で自由に移動できるので、円滑な容器の立体化作業を阻害させることがない。
【００１５】
また、罫線５ｅで保持板部１０をＶ字状に折曲すると同時に、切込み１１によって画成した支持片１２は、罫線を介在させていないので、罫線を介在させていない側の保持板部１０ａ又は１０ｂと直線面状態を維持し、Ｖ字外側方向に逆Ｖ字状に張出し突起することになる。
【００１６】
保持板部１０のＶ字両端辺は正面板部１の両端角部付近に位置する一方、上記のようにＳ分だけ短いので、Ｖ字底部が背面板部３と若干の間隔を置いて浮いた状態となるが、突出した支持片１２、１２が背面板部３に圧接し、容器内での保持板部１０のがたつきを生じさせることがない。
支持片１２は逆Ｖ字状に傾斜して突起することにより、適度な弾性変形が可能であり、保持板部１０の固定状態を維持するとともに、緩衝機能も果たすことができる。
【００１７】
図４は、支持片１２の変形例を示したものである。支持片の構成はこれらに限定されるものではない。
（Ａ）は、中間部で離隔した支持片１２、１２を罫線５ｅ部分から同方向の右保持板部１０ａ側に形成し、両支持片間に逆向きコの字状の切込み１１を形成して、支持片１２ａを左保持板部１０ｂ側に形成した構成例である。
（Ｂ）は、中間部を罫線５ｅとし、罫線の上下両端部にそれぞれ左右保持板部１０ａ、１０ｂに対称的な支持片１２ｂ、１２ｂを形成した構成例である。
（Ｃ）は、罫線５ｅの中間部に、左右保持板部１０ａ、１０ｂに片側づつ膨出した波形状の切込み１１を形成して、円弧舌片状の対称的な支持片１２ｃ、１２ｃを形成した構成例である。
（Ｄ）は、罫線５ｅの中間部に、左右保持板部１０ａ、１０ｂのいずれか一方にのみ切込み１１を形成して一つの支持片１２ｄを形成した構成例である。
【００１８】
図５は、保持板部１０の変形例を示したものである。保持板部の構成はこれらに限定されるものではない。
（Ａ）は、保持板部１０の延出方向中間部に２本の折曲げ罫線５ｅ、５ｅを形成し、保持板部１０を断面台形状に折曲して収納空間１３を形成することができるようにした構成例である。支持片１２ｅは、各罫線５ｅ、５ｅから内側の保持板部内に向かって切込みを設けて形成することができる。
（Ｂ）は、保持板部１０内に罫線を設けず、保持板部を断面円弧状に湾曲させて収納空間１３を形成することができるようにした構成例である。支持片１２ｆは、湾曲面中間部に切込みを設けて形成することができる。
【００１９】
上記保持板部１０は主として被収納物を周側面から保持するものである。これに対し、被収納物を上下方向から支持し、或いは上下方向に空間部を維持した状態で被収納物を支持する構成とすることができる。
図６、７において、上記構成の保持板部１０を左側面板部５の上部寄り部位に罫線５ｄを介して延設し、左側面板部５の下部に被収納物を底上げ状態で収納できるような空間部相当の高さを残し、この下部から折り曲げ罫線５ｆを介して調整板部１０ｃを延設し、調整板部１０ｃは組立てた容器内で罫線を軸に回動可能な長さ、好ましくは正面板部１の横幅の半分〜全幅分程度の長さを有して形成してある。
図示しないが、調整板部１０ｃは、左側面板部５の下部のみならず、上下部或いは上部に形成することができる。
【００２０】
図７の如く、調整板部１０ｃを下部に形成することにより、シートを組立て立体化すれば、Ｖ字状の保持板部１０により形成された収納空間１３に被収納物１４を定置し得ると同時に、調整板部１０ｃを折曲して収納空間１３内に交差させ、収納空間下側に位置させることにより、被収納物１４の底部が調整板部上に載置することになり、組立容器下部に空間部を残したまま安定した収納状態を維持することが可能となる。同時に、被収納物の上下方向への抜け外れが阻止できるので、盗難防止に役立つ。また、容器に比して小さいものを収納する場合に外観を良くする。
【００２１】
図８、９は、上記図６とは異なる実施形態を示すものであり、保持板部１０を左側面板部５の全長近くにわたる長さで罫線５ｄを介して延設し、切込み１１による支持片１２はこの保持板部１０内の上部寄り部位に形成し、保持板部１０内の下部には被収納物を底上げ状態で収納できるような空間部相当以上の高さを残し、この保持板部下部内の中央部の底上げ位置に、水平な切込み線１５を形成するとともに、この切込み線１５の中央と両端位置から保持板部下端に至って折り曲げ罫線５ｇを垂下形成することにより、折曲張出し可能な調整板部１０ｄを形成してある。
【００２２】
図９の如く、シートを組立て立体化すれば、Ｖ字状の保持板部１０により形成された収納空間１３に被収納物１４を定置し得ると同時に、調整板部１０ｄを折曲して収納空間１３内に張出し交差させることにより、これが収納空間下側に位置するので、被収納物１４の底部が調整板部１５上に載置することになり、組立容器下部に空間部を残したまま安定した収納状態が維持されることになり、図６の構成と同様の作用効果を奏する。
【００２３】
図１０、１１は、上記とは異なる被収納物の定置構成を示すものであり、正面板部１の中央部に、被収納物の正面部分を受けてこの部分に当接可能な内方凸部１６ａを周縁に形成した内面凹部１６を設けてある。内方凸部１６ａと内面凹部１６は，図１１（Ａ），（Ｂ）の如く被収納物部分に接面するように形成することもでき、或いは同（Ｃ）の如く点接触乃至線接触状態で接触するように形成することもできる。
図１１の如く、シートを組立て立体化すれば、Ｖ字状の保持板部１０により形成された収納空間１３に被収納物１４を定置し得ると同時に、正面板部の内方凸部１６ａが被収納物に当接し、その一部が内面凹部１６に納まるように位置して、ずれを生じさせない安定状態が維持されることになる。
上記凹凸は浅く形成しておけば、プラスチックシートに可撓性があるので、凹凸が被収納物の収納に支障を生じさせることはない。
【００２４】
上記各実施形態において、少なくとも保持板部１０に箔押しその他の適宜印刷により着色乃至模様を形成することができる。保持板部が装飾されることにより、例えば屏風を背にし或いは優れた美感の装飾面に被収納物が収納されている外観を呈することができるので、展示商品に高級感を与え、或いは趣味性を与えることができる。
なお、上記各実施形態の説明は一例を示したものであり、保持板部と糊代片の連設位置を逆にして形成し、容器周側面を直方体以外の形状として形成し、或いは他の変形が可能であり、本発明はそれらを含むものである。
【００２５】
【発明の効果】
上記のように本発明によれば、被収納物用保持板部を内装させた状態で、容器を偏平二つ折り状態に折畳んで運搬、保管を便利にでき、被収納物の包装時に容器を立体化するだけで被収納物を安定的に収納することができるプラスチックシート組立容器を提供することができる。
上記組立容器は、保持板部を容器の二つ折り幅よりも短く形成することにより、膨らみの出ない偏平折畳み状態とすることができるとともに、保持板部の開放端縁を容器の二つ折り部に食い込むような状態で二つ折りさせることがなく、容器の立体化工程で保持板部を自由に移動させ、容器の立体化作業を円滑に行わせることができる。また、寸法制約が少なくなるので、容器の正背面、左右側面の広さを任意に設定でき、包装・広告媒体としての効果を高めることもできる。
上記構成によれば、被収納物の収納作業が簡単に行なうことができ、しかもがたつきなく安定的に保持状態を維持することができる。
また、調整板部を形成することにより、上下方向にも空間部を持たせて安定した収納が可能となり、盗難防止にも役立ち、保持板部を装飾印刷することにより被収納物の展示効果を一層高め得る。
【図面の簡単な説明】
【図１】本発明に係る一例プラスチックシートの展開状態を示す正面図である。
【図２】図１のプラスチックシートによる組立容器の折畳み状態横断面図である。
【図３】図２の容器を立体化した組立容器の横断面図である。
【図４】（Ａ）〜（Ｄ）はいずれも本発明に係るプラスチックシートの図１とは異なる実施例を示す保持板部の部分正面図である。
【図５】（Ａ）、（Ｂ）はいずれも本発明に係るプラスチックシートの図３とは異なる実施例を示す組立容器の横断面図である。
【図６】図１とは異なる一例シートの展開状態を示す正面図である。
【図７】図６の組立容器を示し、（Ａ）はその横断面図、（Ｂ）正面下部図である。
【図８】図１とは異なる別の一例シートの展開状態を示す正面図である。
【図９】図８の組立容器を示し、（Ａ）はその横断面図、（Ｂ）正面下部図である。
【図１０】図１とはさらに異なる別の一例シートの展開状態を示す正面図である。
【図１１】図１０の組立容器を示し、（Ａ）はその横断面図、（Ｂ）は正面部分拡大図、（Ｃ）は（Ａ）とは異なる態様の組立容器の横断面図である。
【図１２】本発明との対比説明用の保持板部の部分正面図である。
【図１３】図１２の保持板部による組立容器の横断面図である。
【符号の説明】
１        正面板部
２、４    左右側面板部
３        背面
５、５ａ〜５ｇ    折曲げ罫線
６，７    蓋片
６ａ，７ａ    差込み片
６ｂ，７ｂ    折曲げ罫線
８        折込み片
９        糊代片
１０        保持板部
１０ａ、１０ｂ    左右保持板部
１０ｃ、１０ｄ    調整板部
１１        切込み
１２、１２ａ〜１２ｆ    支持片
１３        収納空間
１４        被収納物
１５        切込み線
１６        内面凹部
１６ａ      内方凸部
Ｓ          短い長さ
【図１】
2004244094.tif 000003
【図２】
2004244094.tif 000004
【図３】
2004244094.tif 000005
【図４】
2004244094.tif 000006
【図５】
2004244094.tif 000007
【図６】
2004244094.tif 000008
【図７】
2004244094.tif 000009
【図８】
2004244094.tif 000010
【図９】
2004244094.tif 000011
【図１０】
2004244094.tif 000012
【図１１】
2004244094.tif 000013
【図１２】
2004244094.tif 000014
【図１３】
2004244094.tif 000015